(57)【要約】【課題】パチンコ遊技機の表示装置は液晶化が進化したが、安価で照明の明るい遊技場環境下でも実用できる明るさと、薄型化できる表示装置が必要とされていた。【解決手段】一部のみが開口しており、他が閉ざされた反射板から構成される壁内空間へ壁内空間外から前記開口を通し変化する多色光を加え、壁内空間内の光線散乱体で視認方向へ光の向きを変える手段を用いる為、従来の直接ＬＥＤの発光する光を直視する技術と担い合わさり、薄型化と明るい環境下での視認性と安価な製品を可能としている。【選択図】  図５
2007037944.tif 000002
【特許請求の範囲】
【請求項１】
表示面と、該表示面に直交する面で囲まれる壁面を有し、該壁面が反射板から作られると共に一部に開口部を有し、該開口部を通し壁面外部から投光する光を壁面内部に配置した光線散乱体で表示面側へ向きを変える表示装置であって、前記投光する光が白色ＬＥＤの光が回転する多色光透過板を透過した光であることを特徴とする遊技機用表示装置。
【請求項２】
請求項１であって、表示面と平行する底板上に設けられたＬＥＤからの光をも併せて視認できるようにした事を特徴とする遊技機用表示装置。
【請求項３】
請求項１であって、光線散乱体が、ビーズ（ｂｅａｄｓ）、発泡樹脂体、金属箔、金属片、ガラス片であることを特徴とする遊技機用表示装置。
【請求項４】
請求項３であって、光線散乱体である発泡樹脂体、金属箔を浮遊させる為の送風機又は加熱器を有することを特徴とする遊技機用表示器。
【発明の詳細な説明】
【技術分野】
【０００１】  本発明は、表示装置。特には、パチンコ遊技機、回胴遊技機、パロット遊技機、アレンジパチンコ遊技機等の用途分野に関連する。
【背景技術】
【０００２】  パチンコ機に代表される遊技機は、近年大幅な発展、成長をした。特に、フィバー機、セブン機と俗称でよばれる複数の図柄の一致、不一致で当り外れを決める遊技機の出現と、その当り外れの経過を液晶表示装置で盛り上げる技術の高度化による所が大きい。【０００３】  一方、高度化された液晶表示により、過度に夢と期待を膨らませることが、遊技者の“のめり込み“現象を生み出したり、遊技機の価格を高騰させ、結果、遊技者に戻される賞品が少なくなり、客離れが進むという現象がある。【０００４】  勿論、フィーバー機の初期がそうであったように、７セグメントＬＥＤ３個だけとして液晶表示を廃することも一手段であるが、心を休める娯楽機械としては欠ける面がある。
【発明の開示】
【発明が解決しようとする課題】
【０００５】  本発明が解決しようとする課題は、
【背景技術】でも述べたように
（１）液晶表示装置のように価格が高いという問題。
（２）遊技場は強い照明がされている空間である為、光の利用効率を高めないと見えにくいという問題。
（３）遊技機は限られたスペース内に設置する為、大きな表示面積が要求されると同時に、薄型化する必要があるという問題。
上記（１）（２）（３）が解決しようとする課題である。
【課題を解決する為の手段】
【０００６】  請求項１の遊技機用表示装置は、表示面と、該表示面に直交する面で囲まれる壁面を有し、該壁面が反射板から作られると共に一部に開口部を有し、該開口部を通し壁面外部から投光する光を壁面内部に配置した光線散乱体で表示面側へ向きを変える表示装置であって、前記投光する光が白色ＬＥＤの光が回転する多色光透過板を透過した光であることを特徴とする遊技機用表示装置であることから、液晶表示装置のように高価な部材を含まず安価であると共に、反射板間の壁内空間で繰返し反射する光を、表示面側へ引き出している事から、投入した光を効率良く利用している。又、表示面と平行する方向から光を投入している事から、表示面積の大きさと厚み方向の関係が弱く、薄型化が可能となる効用がある。
【０００７】  請求項２の遊技機用表示装置は、表示面と、該表示面に直交する面で囲まれる壁面を有し、該壁面が反射板から作られると共に一部に開口部を有し、該開口部を通し壁面外部から投光する光を壁面内部に配置した光線散乱体で表示面側へ向きを変える表示装置であって、前記投光する光が白色ＬＥＤの光が回転する多色光透過板を透過した光であることを特徴とする遊技機用表示装置であって、かつ、表示面と平行する底板上に設けられたＬＥＤからの光をも併せて視認できるようにした事を特徴とした遊技機用表示装置であることから、遊技者には自己発光しているＬＥＤを視認する確実性と、白色ＬＥＤの光を多色光透過板、光線散乱体を介して視認する表示の柔らかさの両面が有る為、好適な表示装置である。
【０００８】  請求項３の遊技機用表示装置は、表示面と、該表示面に直交する面で囲まれる壁面を有し、該壁面が反射板から作られると共に一部に開口部を有し、該開口部を通し壁面外部から投光する光を壁面内部に配置した光線散乱体で表示面側へ向きを変える表示装置であって、前記投光する光が白色ＬＥＤの光が回転する多色光透過板を透過した光であることを特徴とする遊技機用表示装置であって、かつ、光線散乱体が、ビーズ（ｂｅａｄｓ）、発泡樹脂体、金属箔、金属片、ガラス片である事を特徴とする遊技機用表示装置である事から、装置を薄型化、安価に出来るという効果がある。
【０００９】  請求項４の遊技機用表示装置は、表示面と、該表示面に直交する面で囲まれる壁面を有し、該壁面が反射板から作られると共に一部に開口部を有し、該開口部を通し壁面外部から投光する光を壁面内部に配置した光線散乱体で表示面側へ向きを変える表示装置であって、前記投光する光が白色ＬＥＤの光が回転する多色光透過板を透過した光であることを特徴し、かつ、光線散乱体の内、発泡樹脂体、金属箔と軽く浮遊しやすい物に対して送風機又は過熱器で空気の流れに変化を与えている為、変化に富んだ心を安らげる表示を可能とする効果がある。
【発明を実施する為の最良の形態】
【００１０】  図１は本発明の遊技機用表示装置の外観図であり、（ａ）は正面図、（ｂ）は下面図、（ｃ）は背面図である。図２は分解図であり、図３は（ａ）が図１のＡ−Ａ，（ｂ）が図１のＢ−Ｂ断面図である。又、図４は多色光透過板の色パターンを示す図である。図５の（ａ）（ｂ）（ｃ）は他の実施例を示す図である。
【００１１】  さて、図１〜図４を適宜用いて、パチンコ遊技機に用いられた例を説明する。
表示装置１は、表示部２と投光部３が取付ネジ４で結合されると共に、駆動ベルト５でプーリー６とプーリー７が連結される事で組み立てられている。
【００１２】  表示部２は一面が開放、残る５面が透明な樹脂で作られたケース８とケース８の開放面を塞ぐ底板９がネジ１０で固着され一体となる。なお、底面９と対向する透明な面が表示面となる。
【００１３】  ケース８には、複数個のリブ８ａが設けられており、反射板１１を安定保持する。反射板１１は、端部１１ａ、１１ｂで開放するベルト状の形状であり壁面を構成する、図では１１ａ〜１１ｃは曲面であり、１１ｃ〜１１ｄ〜１１ｅは平面で、１１ｅ〜１１ｂは曲面である。ケース８に入れられる前は、端部１１ａ〜１１ｂ間の距離が図示の状態より広い物であり、外力でケース８内に押し込まれると、前記リブ８ａに当接しながら安定に収納される。表示面に対して反射板で囲われた壁面は直行する関係に作られている。
繰り返すと、反射板は一部の開口部である端部１１ａ〜１１ｂ以外は閉じられた壁面状をなし、表示面と直交することとなる。
なお、反射板１１は図示以外に変形できるのは当然であり、ケース８の壁面８ｂ〜８ｃ〜８ｄ〜８ｅ〜８ｆに接しさせる形状でも良い。
【００１４】  なお、ケース８内には風車状の送風機１２が、外部から回転力を受けると作用するように設けられている。反射板１１に設けられた吸気孔１１ｆから吸い込んだ空気を排出孔１１ｇから排出することでケース８に入れられた発泡スチロール等の発泡樹脂体１３、又はアルミ箔等の金属箔１４を浮遊させ、落下する時間を長く、又、不規則な動きをさせ、光の散乱する様子を映し現す様に作られている。又、加熱器１５により暖められた空気が前記送風機１２に代わって、発泡樹脂体１３、又は金属箔１４を浮遊させる。
【００１５】  底板９には、軸穴９ａが設けられており、回転テーブル１６の支軸１６ａが通されている。回転テーブル１６の外周部には受部１６ｂ、１６ｃ、１６ｄが設けられており、重力で落下した発泡樹脂体１３を掬い上げ、各々の受部の開口形状に応じて、持ち上げた角度に応じ、発泡樹脂体１３を落下させる。
【００１６】  回転テーブル１６の支軸１６ａはＤカットされており、又、止め輪溝１６ｆが設けられており、中心にＤカット穴を有するプーリー７が挿入され、Ｅ型又はＣ型の止め輪で脱落しないよう一体化される。
プーリー７は、２種の駆動ベルトを受ける溝７ａと７ｂが設けられ、溝７ａは前述の投光部３のプーリー６と結合され、溝７ｂは前述の送風機１２と一体とされるプーリー１８と駆動ベルト１９で結合される。プーリー７には、３個のボール受け穴７ｃが設けられ、ボールの受け穴７ｃは一方の直径はボール２０を通す大きさであり、他方はボール２０の頭部は出るが通過は出来ない大きさに作られており、各々のボール受け穴にボール２０及びスプリング２１を入れ、止め板２２をネジ２３で固着させる事で、回転テーブル１６が底板９側へスプリング２１の力で付勢されている。
【００１７】  図３には、回転テーブル１６上に円錐状の金属片２４が反射による光線散乱体として代表的に示されているが、金属片以外にもガラス、樹脂の様に光を透過、屈折させる光線散乱体が適宜の数、配置される。
【００１８】  底板９は全体又は一部がプリント基板で作られており、３個の７セグメントＬＥＤからなる当り判定図柄表示装置２５と４個のＬＥＤからなる入賞記憶表示装置２６とリーチ表示装置２７と外部との電気的結合を行うコネクタ２８を有している。
【００１９】  次に、投光部３の説明をする。
収容箱２９内には、モーター固定リブ２９ａが設けられており、モーター３０を受け入れる。又、軸受２９ｂが設けられており、円筒状の多色光透過板３１を受け入れる。モーター３０の回転軸３０ａと多色光透過板３１の中心軸３１ａは、ベース板３２に設けられた穴を各々通されている。
【００２０】  回転軸３０ａはＤカットされると共に、止め輪溝が設けられており、中心にＤカット穴を有する歯車３３が挿入され、止め輪３４で脱落しないよう取り付けられる。中心軸３１ａもＤカットされると共に、止め輪溝が設けられており中心にＤカット穴を有する歯車３５が挿入され、又、高さを調整するスペーサ３６を介して中心にＤカット穴を有するプーリー６が挿入され、止め輪３７で脱落しないように結合される。歯車３３と歯車３５の歯先は結合しており、モータ３０の回転は多色光透過板３１とプーリー６を回転させる事となる。
【００２１】  前述のベース板３２は全体又は一部がプリント基板から成り、白色ＬＥＤ３８が取り付けられた配線板３９と電気的に結合されると共に、モーター、白色ＬＥＤへの電気供給の為のコネクタ４０がもうけられている。なお、白色ＬＥＤ３８、配線板３９は円筒状の多色光透過板の内側に配置され、多色光透過板の回転を妨げない位置と大きさに作られる。
【００２２】  さて、多色光透過板３１は図３（ｂ）に示すように、中心軸３１ａと円筒部３１ｂと中心軸と円筒部を繋ぐ連結部３１ｃから成り、円筒部３１ｂには図４の（ａ）（ｂ）に示す多色光透過シート４１が貼り付けられている。
図４で記号Ｐは紫、Ｙは黄、Ｒは赤、ＢＬは青、Ｇは緑の光を通し、Ｂは黒で光を通さず、Ｎは無色透過を表し白色ＬＥＤ３８の光をそのまま通す。又、（ａ）は円筒の高さ方向には同一の色の光を、（ｂ）は高さ方向に異なった色の光を発する例である。
【００２３】  次にその動作を説明する。投光部３のコネクタ４０を介して電源が与えられると白色ＬＥＤ３８は強い光を発し、モーター３０も回転を始める。歯車３３，３５で結合されている多色光透過板３１も回転を始め、貼り付けられている多色光透過シート４１の為、ケース８内の反射板１１で囲まれた壁内空間内には、モーターの回転に応じ、種々の色彩光がケース壁８ｂ〜８ｆを介して投入される。
【００２４】  一方、プーリー６とプーリー７が駆動ベルト５で結合されている事から回転テーブル１６も回転し、受部１６ｂ、１６ｃ、１６ｄで下部に溜まっていた光線散乱体である発泡樹脂体１３、金属箔１４を上向きへ持ち上げる。プーリー７とプーリー１８が駆動ベルト１９で結合されている事から送風機１２が作動し、発泡樹脂体１３、金属箔１４をゆっくり、不規則に落下させる。又、加熱器１５が動作すれば、送風機１２が無くてもケース８内に上昇気流を作り、送風機と同様の作用が出来る。
なお、図に示さなかったが、回転テーブル１６を透明樹脂で作り、底板９のケース８側にチップＬＥＤを配置できる事は明らかである。
【００２５】  次に、白色ＬＥＤ３８から出た光線がいかに遊技者に見えるかを説明する。色彩に関しては、多色光透過シート４１の各々の色彩が得られることは当然であり、合成された色彩も得られる。図３（ａ）を用いてその様子を説明する。多色光透過板３１の点Ａを通過する光が、図４（ａ）の点ＡのＲ（赤）であり、円錐状の金属片２４に当り、反射により方向を変え、視認する方向へ光を放っているとする。多色光透過板３１の点Ｂを通過する光が、図４（ａ）の点ＢのＢＬ（青）であれば、反射板１１の点Ｈで反射して円錐状の金属片２４に当り同様に視認できる。この時、双方の光が合成され紫色と見える。すなわち、反射板の壁内空間で光線散乱体は、多色光透過板の色彩及び合成された色彩として認識される。
【００２６】  次に、視認される光線錯乱体の明るさに関して述べる。特に、反射板１１が明るさを増加させる点を述べる。図３（ａ）で、反射板１１が無ければ、金属片２４の明るい部分は点Ｃ点Ｄを結ぶ図中左側の部分のみであるが、図中点Ｅ，点Ｆで反射した光が右側の部分も明るくする。図では、反射板は理想的な鏡面と考え、点Ｅ、点Ｆと反射する例を説明したが、実際の反射板は表面に凹凸があり、図中Ｇの点線で示す様に乱反射による光で明るくされる現象も生まれる。
【００２７】  次に、光のロス分について述べる。図３（ｂ）の矢印Ｈで示す光は反射板１１での反射光が光線散乱体に当たらず、反射板で反射され表示面側へ漏れ出ている事を示し、光のロス、損失である。同様の事が底板９方向へ反射した成分でも起こる。理由は、底板は光線散乱体をコントラスト強く見せる為に黒色とするのが通常の為、光が吸収されるからである。この問題を改善する為には、反射板を図３（ｃ）に示すように凹面状にする。その曲率Ｒは、対向する反射板の距離とするのが好適である。図３（ａ）の点Ｉ，点Ｊの部分なら曲率半径は点Ｉ−Ｊ間の長さとなる。この様にして、ロスが少ないという事は、反射板間の壁内空間で繰り返し光が反射されることを意味し、投光部３からの光が直接当たらない部分、及び他の光線散乱体の影になっている部分でも明るさの差はあるといえども、視認できるという事である。
【００２８】  次に、図５で他の実施例の説明をする。図１での実施例と同一の部分は省略して説明を簡略化する。表示装置１０１は表示部１０２と投光部１０３から成り、図５（ａ）は図３（ａ）同様ケース１０８の表示面が切断された状態を示す。反射板１１１は同様の形状の物が、同様の手段でケース１０８内に設けられており、端部１１１ａ、１１１ｂが開口しており、光を受け入れる。ケース１０８は表示面が透明な樹脂で作られ、残る４面は透明であっても不透明であってもよいが、光を受け入れる開口１０８ｇは壁が無く、光が減衰しないようにされている。なお、図３（ｂ），図５（ｂ）に記されるＺの矢印は表示面を見る方向を示す。
【００２９】  底板１０９には６個の支持柱１５０ａ、１５０ｂ、１５０ｃ、１５０ｄ、１５０ｅ、１５０ｆが固着され、各々の支持柱には５個の切欠き部が設けられ、支持柱間にはナイロン糸が通されたビーズ１５１が支持柱１５０ａと１５０ｆの第１切欠き間、１５０ａと１５０ｃの第２切欠き間、１５０ａと１５０ｅの第３切欠き間、１５０ａと１５０ｂの第４切欠き間、１５０ａと１５０ｄの第５切欠き間に取り付けられている。各ビーズに段差を設けるのは、他のビーズの陰に入らないようにする事が目的である。反射板１１１の壁内空間は反射光が得られる為、段差が必須ではないが光源からの光が直接的に当たるのが望ましい。
【００３０】  底板１０９のケース１０８側にはチップＬＥＤ１５２が適宜な形を成すように配置されている。図では、２０個のＬＥＤがハートの形を成しており、図示しない駆動回路で点滅したり、順次点灯、消灯したり音楽のリズムに合わせたスピードで点滅したり、音量の大きさで明るさの度合いを変えたりの表示をする。
また、中心部には赤、青、緑のＬＥＤが一体となったフルカラーＬＥＤ１５３が取り付けられ、フルカラーＬＥＤ１５３を覆うようにガラス、又は透明樹脂で作られた光屈折体１５４が配置されている。
【００３１】  投光部１０３はベース板１３２の穴に回転軸が通った状態に固着されたステッピングモータ１３０とステッピングモータの回転軸に圧入固着された円板状の多色光透過板１３１と多色光透過板１３１の円板状部分とベース板１３２の間に固着ハンダ付けされた白色ＬＥＤ１３８からなり、多色光透過板１３１は図５（ｃ）に図４に倣って示すようにＲ（赤）Ｇ（緑）ＢＬ（青）Ｎ（透明）Ｂ（黒）等の領域が作られており、表示部側のケース１０８の結合部１０８ｂ、１０８ｃにネジで一体的に固着され、全体で表示装置１０１となっている。
【００３２】  その作用を図５で説明する。今、白色ＬＥＤ１３８の位置に対して多色光透過板１３１が図５（ｃ）の位置にあったとする。ケース１０８の深さ方向において、中間位置はＢＬ（青）とＲ（赤）の混じった紫色が、底板１０９側はＲ（赤）が、表示面はＢＬ（青）が主体の光となる。結果、ビーズ１５１ｂ、１５１ｄは青に、１５１ｅは紫に、１５１ｃ、１５１ｆは赤色にみえる。各ビーズの色は、反射板１１１の光とも合成されるため、さらに変化に富んだ色彩を放つ。上記は、回転する多色光透過板の一点で起こることであり、回転に伴う次々の色彩の変化は癒しの効果が大きい。チップＬＥＤ１５２、フルカラーＬＥＤ１５３による表示方法は公知の技術であることから説明を省略する。
【００３３】  ただ、パチンコ遊技機用表示装置としての説明をしている条件下であるから、パチンコ機として必須な当り判定図柄表示装置１２５、入賞記憶表示装置１２６が図示の通り底板１０９に取り付けられている事を述べる。遊技機用表示装置は当り判定のように確実に見える必要性と、心を安らかにさせる為に確実性は求められないが癒しの作用の必要性と両者が同時に求められるのであり、ＬＥＤの直接光を視認する技術と白色ＬＥＤの光を多色光透過板、光線散乱体を介して視認する表示の柔らかさの両面を有する本実施例の有用性の高さを述べておく。
【図面の簡単な説明】
【００３４】
【図１】  本発明の表示装置の外観を示す説明図。（ａ）が正面図、（ｂ）が下面図、（ｃ）が背面図
【図２】  本発明の表示装置の分解図
【図３】  図１で示す実施例のＡ−Ａ断面図とＢ−Ｂ断面図
【図４】  多色光透過シートのパターン図
【図５】  本発明の他の実施例を示す説明図
【符号の説明】
【００３５】１，１０１………………表示装置
２，１０２………………表示部
３，１０３………………投光部
４，１０，２３………‥ネジ
５………………………‥駆動ベルト
６………………………‥プーリー
７………………………‥プーリー
８，１０８………………ケース
９，１０９………………底板
１１，１１１……………反射板
１２………………………送風機
１３………………………泡樹脂体（光線散乱体）
１４………………………金属箔（光線散乱体）
１５………………………加熱器
１６………………………回転テーブル
１８………………………プーリー
１９………………………駆動ベルト
２０………………………ボール
２１………………………スプリング
２２………………………止め板
２４………………………円錐形の金属片（光線散乱体）
２５，１２５……………当り判定図柄表示装置
２６，１２６……………入賞記憶表示装置
２７，１２７……………リーチ表示装置
２８………………………コネクタ
２９………………………収容箱
３０，１３０…………‥モータ（ステッピングモータ）
３１，１３１……………多色光透過板
３２，１３２……………ベース板
３３，３５………………歯車
３４，３７………………止め輪
３６………………………スペーサ
３８，１３８……………白色ＬＥＤ
３９………………………配線板
４０………………………コネクタ
４１………………………多色光透過シート（３１と一体のときは無し）
１５０……………………支持柱
１５１……………………ビーズ（光線散乱体）
１５２……………………チップＬＥＤ
１５３……………………フルカラーＬＥＤ
１５４……………………光屈折体（光線散乱体）
【図１】
2007037944.tif 000003
【図２】
2007037944.tif 000004
【図３】
2007037944.tif 000005
【図４】
2007037944.tif 000006
【図５】
2007037944.tif 000007